(57)【要約】【課題】消防士や救急隊員等のように危険な場所で作業を行う人物が、作業中に危険な状態に陥った時に、急遽その救助を行うことができるようにするための緊急事態監視システムを提供する。【解決手段】危険な場所に赴く救急隊員等の身体に取り付けることのできる振動センサを備え、該振動センサの振動検出信号が所定時間出力されなくなったときは無線でその事実を送信する送信装置と、該送信装置から送信された信号を受信して警報を発する受信装置とで構成される緊急事態監視システム。送信装置には、当該送信装置を携行している救急隊員等の意志に基づいて所定の信号を発信することのできる発信用スイッチを設けておくのが好ましい。【選択図】　　　　図１
2004054778.tif 000002
【特許請求の範囲】
【請求項１】
危険な場所に赴く救急隊員等の身体に取り付けることのできる振動センサを備え、該振動センサの振動検出信号が所定時間出力されなくなったときは無線でその事実を送信する送信装置と、該送信装置から送信された信号を受信して警報を発する受信装置とで構成される緊急事態監視システム。
【請求項２】
送信装置には、当該送信装置を携行している救急隊員等の意志に基づいて所定の信号を発信することのできる発信用スイッチが設けられている請求項１に記載の緊急事態監視システム。
【請求項３】
振動センサが、中空容器内に移動自在に収納した錘と、該錘が当接することにより電気信号を発する圧電素子とを備えた振動センサである請求項１又は２に記載の緊急事態監視システム。
【発明の詳細な説明】
【０００１】
【発明の属する技術分野】
本発明は、消防士や救急隊員等のように危険な場所で作業を行う人物が、作業中に危険な状態に陥った時に、急遽その救助を行うことができるようにするための緊急事態監視システムに関するものである。
【０００２】
【従来の技術】
火災現場や災害現場で救助活動を行う消防士や救急隊員は、常時危険にさらされており、本人自体が事故に遭遇して負傷したり動けなくなったりすることが多い。また、マンホールやタンクの内部で作業を行う作業員は、酸素欠乏や有毒ガスの吸引による中毒で動けなくなり、最悪の場合は死亡するケースも発生している。
【０００３】
【発明が解決しようとする課題】
これら常時危険にさらされている人物が何らかの原因で動けなくなった時に、直ちに救助すれば、少なくとも死亡事故は大幅に減少するものと考えられるが、従来、このような救助隊員や作業員が危険な状態となったことを外部で知ることができなかったため、多くの人身事故が発生していた。
【０００４】
そこで本発明は、上記危険な場所で作業を行う作業者や救急隊員等が、何らかのトラブルに遭遇して動けなくなった時に、第三者が直ちにそれを検知して、その救助活動を行うことができるようにすることを課題としている。
【０００５】
【課題を解決するための手段】
上記課題を解決するために、本発明は次のような構成とした。すなわち、本発明にかかる緊急事態監視システムは、危険な場所に赴く救急隊員等の身体に取り付けることのできる振動センサを備え、該振動センサの振動検出信号が所定時間出力されなくなったときは無線でその事実を送信する送信装置と、該送信装置から送信された信号を受信して警報を発する受信装置とで構成される。
【０００６】
上記振動センサとしては、隊員等の動きを検出して信号を出力するものであればよいが、具体的には、中空容器内に錘を移動自在に収納し、該錘が移動して当接した時に圧電素子で電気信号を発するようにしたものが実用的にすぐれている。また、上記送信装置には、これを携行している本人の意志に基づいて信号を発信することのできるスイッチを設けておくのが好ましい。
【０００７】
【発明の実施の形態】
以下、本発明の実施の形態について具体的に説明する。図１以下の各図は、本発明にかかる緊急事態監視システムを例示するもので、この緊急事態監視システム１は、送信装置１０と受信装置３０とで構成される。送信装置１０は、危険な場所に赴く救急隊員や作業者等（以下「隊員」と略称する）が身体に装着して携行するもので、受信装置３０は、外部の安全な監視場所、例えば管理事務所、消防車等に設置しておく。
【０００８】
送信装置１０は、図２に示すように、振動センサ１１、コントローラ１２、電源部（電池）１３、テストスイッチ１４、メモリ１５、セレクタ１６、送信部１７、アンテナ１８等で構成される。振動センサ１１は、救急隊員等の動きを検出して信号を発するもので、当該救急隊員等が動かなくなって静止した状態では信号を発しない。
【０００９】
図３は振動センサ１１の構造を表すもので、この振動センサ１１は、円筒状の中空容器２０の内部に鉄球２１を移動自在に収納してなる。中空容器２０の一方の端部には円柱状の圧電素子２２が取り付けられており、該圧電素子から信号線２３が引き出されている。中空容器２０の他方の端部は、栓体２５で閉塞されている。この振動センサ１１を身体に装着した人物が動いている間は、振動により鉄球が転動して圧電素子２２に断続的に当接する。このため、圧電素子から電気信号が出力される。
【００１０】
一方、受信装置３０は、図４に示すように、受信用のアンテナ３１、受信部３２、コントローラ３３、電源部３４、メモリ３５、セレクタ３６、音声アンプ３７、スピーカ３８等で構成され、前記コントローラ３３にはパソコン４０が接続されている。メモリ３５には、あらかじめ設定されたメッセージがＩＣ録音されて保存されている。
【００１１】
図５は、この緊急事態監視システムの動作を表すフローチャートである。これに基づいて動作を説明すると、まず、上記送信装置１０の振動センサ１１から出力される信号は、コントローラ１２に入力される。コントローラ１２では、センサからの信号が所定の短い時間で断続的に入力している間は特別な信号を出力しないが、センサからの信号が所定時間途絶えたときは、監視信号を出力する。この監視信号としては、複数種（図示例では３種）の信号がメモリに登録されており、運動停止時間の長さに応じて所定の信号をセレクタで選択し、送信部から送信する。なお、図示例では、センサからの信号が途絶えた時間が、最も短い第１の設定時間ｔ１　（例えば１５秒）となった時は、第１の監視信号（ＣＯＤＥ１）を選択して送信する。センサからの信号がそれよりも長い第２の設定時間ｔ２　（例えば５０秒）途絶えた時は、第２の監視信号（ＣＯＤＥ２）を選択して送信する。なお、第３の監視信号（ＣＯＤＥ３）は、上記テストスイッチ１４をオンにした時に送信する信号である。これらの監視信号のＣＯＤＥには当該送信装置１０（すなわちこれを携行している人物）を特定するＩＤ信号が含まれている。
【００１２】
送信装置１０から送信される信号が受信装置３０で受信されると、コントローラ３３でＩＤ信号に基づいて人物の特定と監視信号の内容の判定が行われるとともに、当該監視信号に対応するメッセージがセレクタ３６で選択されて、スピーカから音声で放送される。例えば、前記第１の監視信号であるＣＯＤＥ１の信号が受信された時は、メッセージ１（例えば「隊員Ａが１５秒以上行動を停止しています。注意して監視して下さい。」のようなメッセージ）を放送する。
【００１３】
同様に、第２の監視信号（ＣＯＤＥ２）を受信した時は、メッセージ２（例えば「隊員Ａが５０秒以上行動を停止しています。至急救助して下さい」のようなメッセージ）を放送する。
【００１４】
一方、テストスイッチを監視されている本人が押す（オン操作する）と、送信装置１０は、第３の監視信号であるＣＯＤＥ３信号を選択して送信する。受信装置３０がこの信号を受信すると、ＣＯＤＥ３に対応したメッセージを放送する。このメッセージは、例えば「隊員Ａです。緊急事態発生、大至急救助願います。」というようなメッセージである。
【００１５】
このように、各隊員が身につけている振動センサと送信装置により、当該隊員の行動が停止したことが検知され、これが管理事務所等に報知されるので、危険な場所で作業をしている隊員に何らかのトラブルが発生して救助が必要となった時は、ただちに救助活動を行うことができるのである。この場合、本人に意識がなくなった状態であっても緊急事態が報知されるのみならず、本人の意志によっても危険状態を報知することができるので、きわめて効果的である。
【００１６】
この緊急事態監視システムでは、送信された監視信号がどの隊員（どの送信装置）のものかをＩＤ信号により判定することができるので、送信装置１０のＣＯＤＥ（ＩＤ信号）を変えることにより、複数の隊員に対する対応が可能である。このため、多数の隊員が同時に活動していても、個々の隊員の安全を確保することができる。また、送信装置を携行している本人がテストスイッチ１４を押して自発的に信号を発信することができるので、例えば、作業開始前の作業者の確認や点呼をこのテストスイッチ１４の操作で行うことができるという利点がある。さらに、図示例のように、受信装置３０にパソコン４０等を接続することにより、各隊員のデータを記録し解析することも可能となる。なお、以上の例では、メッセージを音声で放送する例について述べたが、場合によっては、警報ランプや警報ブザー等を用いて緊急事態の発生を報知するようにしてもよい。また、隊員の動きを検出するセンサとしては、図示例の振動センサに限らず、他の適当な運動検出センサを採用することもできる。
【００１７】
【発明の効果】
以上に説明したように、本発明にかかる緊急事態監視システムは、危険な場所で作業を行う救急隊員等が振動センサ付きの送信装置を身につけておくことにより、当該隊員等がトラブルに巻き込まれて危険な状態となった場合に、直ちにこれを知ることが可能となり、的確かつ迅速な救助活動を行うことが可能となった。この監視システムは、センサ付きの送信装置と該送信装置から送信される監視信号を受信して緊急事態を報知する受信装置とで構成されるものであるから、装置的に簡単であり比較的安価なものとすることができる。
【図面の簡単な説明】
【図１】本発明の緊急事態監視システムの構成を模式的に表す図である。
【図２】送信装置の構成を表すブロック図である。
【図３】その振動センサの斜視図（ａ）及び断面図（ｂ）である。
【図４】受信装置の構成を表すブロック図である。
【図５】システムの動作を表すフローチャートである。
【符号の説明】
１　　　　　　緊急事態監視システム
１０　　　　　　送信装置
１１　　　　　　振動センサ
３０　　　　　　受信装置
【図１】
2004054778.tif 000003
【図２】
2004054778.tif 000004
【図３】
2004054778.tif 000005
【図４】
2004054778.tif 000006
【図５】
2004054778.tif 000007